【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
有炎燃焼時に発生するＣＯ２共鳴により放射される、４．５μｍ付近を中心波長とする狭帯域波長の光を選択透過して電気信号に変換し、当該電気信号から所定の周波数の信号成分を選択抽出して第１受光信号を出力する第１検知部と、
所定の波長帯域の近赤外線光を選択透過して電気信号に変換し、当該電気信号から所定の周波数の信号成分を選択抽出して第２受光信号を出力する第２検知部と、
前記第１検知部からの第１受光信号と前記第２検知部からの第２受光信号との時間的なずれを補正する補正部と、
前記補正部で時間的なずれが補正された前記第１受光信号と第２受光信号に基づいて炎の存在とアーク溶接光の放射線源とを識別判定する炎判定部と、
前記炎判定部で炎の存在を判定した場合に火災信号を出力する発報回路と、
を備えたことを特徴とする炎感知器。
【請求項２】
請求項１記載の炎感知器に於いて、
前記補正部は、前記第２検知部からの第２受光信号を所定時間遅延して前記第１受光信号との時間ずれを抑制することを特徴とする炎感知器。
【請求項３】
請求項１記載の炎感知器に於いて、
前記第１検知部は、
有炎燃焼時に発生するＣＯ２共鳴により放射される、４．５μｍ付近を中心波長とする狭帯域波長の光を選択透過させる第１光学フィルタと、
前記第１光学フィルタを透過した透過した光を受光し電気信号に変換して出力する第１受光素子と、
前記第１受光素子の出力から所定の周波数の信号成分を選択抽出して第１受光信号を出力する第１周波数抽出部と、
を備え、
前記第２検知部は、
所定の波長帯域の近赤外線光を透過させる第２光学フィルタと、
前記第２光学フィルタを透過した光を受光し電気信号に変換して出力する第２受光素子と、
前記第２の受光素子の出力から所定の周波数の信号成分を選択抽出して第２受光信号を出力する第２周波数抽出部と、
を備えたことを特徴とする炎感知器。
【請求項４】
請求項３記載の炎感知器に於いて、前記第２光学フィルタは、０．７μｍ乃至１．０μｍ付近の波長帯域の近赤外線光を透過させることを特徴とする炎感知器。
【請求項５】
請求項３記載の炎感知器に於いて、前記第２光学フィルタと第２受光素子は、近赤外帯域の光を透過させる透過窓を備え、近赤外帯域の所定波長にピーク波長を持つフォトトランジスタまたはフォトダイオードであることを特徴とする炎感知器。
【請求項６】
請求項１記載の炎感知器に於いて、前記判定部は、
前記第１受光信号ｅ１と第２受光信号ｅ２との比率Ｋ−ｅ１／ｅ２を求め、当該比率Ｋが所定の閾値Ｋｔｈ以上の場合に炎の存在を判定することを特徴とする炎感知器。
【請求項７】
請求項１記載の炎感知器に於いて、前記判定部は、
前記第２受光信号ｅ２が所定の受光閾値ｅｔｈ未満の場合は、前記第第１受光信号ｅ１と前記第２受光信号ｅ２との比率Ｋ＝ｅ１／ｅ２を求め、
前記第２受光信号ｅ２が前記受光閾値ｅｔｈ以上の場合は、前記第１受光信号ｅ１と所定の定数ｃの比率Ｋ＝ｅ１／ｃを求め、
前記比率Ｋが所定の判定閾値Ｋｔｈ以上の場合に炎の存在を判定することを特徴とする炎感知器。
【請求項８】
請求項１記載の炎感知器に於いて、更に、
有炎燃焼時に発生するＣＯ２共鳴により放射される、４．５μｍ付近を中心波長とする波長帯域に隣接した所定波長を中心波長とする狭帯域波長の光のみを選択透過させて電気信号に変換し、当該電気信号から所定の周波数の信号成分を選択抽出する第３検知部と、
を設け、
前記炎判定部は、前記第１検知部、第２検知部及び第３検知部からの前記第１受光信号、第２受光信号及び第３受光信号に基づいて炎の存在とアーク溶接光の放射線源とを識別判定することを特徴とする炎感知器。
【請求項９】
請求項８記載の炎感知器に於いて、前記第３検知部は、
４．５μｍ付近を中心波長とする波長帯域に隣接した所定波長を中心波長とする狭帯域波長の光を選択透過させる第３光学フィルタと、
前記第３光学フィルタを透過した透過した光を受光し電気信号に変換して出力する第３受光素子と、
前記第３受光素子の出力から所定の周波数の信号成分を選択抽出して第３受光信号を出力する第３周波数抽出部と、
を備えることを特徴とする炎感知器。
【請求項１０】
請求項９記載の炎感知器に於いて、前記第３光学フィルタは、前記第１光学フィルタの４．５μｍ付近を中心波長とする透過狭波長帯域に隣接した５．１μｍ付近または３．８μｍ付近を中心波長とする狭帯域波長の光のみを選択透過させることを特徴とする炎感知器。
【請求項１１】
請求項８記載の炎感知器に於いて、前記判定部は、
前記第１受光信号ｅ１と前記第２受光信号ｅ２との第１比率Ｋ１＝ｅ１／ｅ２を求めると共に前記第３受光信号ｅ３と前記第２受光信号ｅ２との第２比率Ｋ２＝ｅ３／ｅ２を求め、
前記第１比率Ｋ１が所定の第１判定閾値Ｋｔｈ１以上で且つ前記第２比率Ｋ２が所定の第２判定閾値Ｋｔｈ２以上の場合に炎の存在を判定することを特徴とする炎感知器。
【請求項１２】
請求項８記載の炎感知器に於いて、前記判定部は、
前記第２受光信号ｅ２が所定の受光閾値ｅｔｈ以上の場合は、前記第１受光信号ｅ１と前記第２受光信号ｅ２との第１比率Ｋ１＝ｅ１／ｅ２を求めると共に前記第３受光信号ｅ３と前記第２受光信号ｅ２との第２比率Ｋ２＝ｅ３／ｅ２を求め、
前記第２受光信号が前記受光閾値ｅｔｈ未満の場合は、前記第１受光信号ｅ１と所定の定数ｃとの第１比率Ｋ１＝ｅ１／ｃを求めると共に前記第３受光信号ｅ３と前記定数ｃとの第２比率Ｋ２＝ｅ３／ｃを求め、前記第１比率Ｋ１が所定の第１判定閾値Ｋｔｈ１以上で且つ前記第２比率Ｋが所定の第２判定閾値Ｋｔｈ２以上の場合に炎の存在を判定することを特徴とする炎感知器。
【請求項１３】
請求項１又は８記載の炎感知器に於いて、前記判定部は、前記第１信号乃至第３受光信号を積分した積分信号に基づいて炎の存在を判定することを特徴とする炎感知器。
【請求項１４】
第１検知部により、有炎燃焼時に発生するＣＯ２共鳴により放射される、４．５μｍ付近を中心波長とする狭帯域波長の光を選択透過して電気信号に変換し、当該電気信号から所定の周波数の信号成分を選択抽出して第１受光信号を出力し、
第２検知部により、所定の波長帯域の近赤外線光を選択透過して電気信号に変換し、当該電気信号から所定の周波数の信号成分を選択抽出して第２受光信号を出力し、
補正部により、前記第１検知部からの第１受光信号と前記第２検知部からの第２受光信号との時間的なずれを補正し、
炎判定部により、前記補正部で時間的なずれが補正された前記第１受光信号と第２受光信号に基づいて炎の存在とアーク溶接光の放射線源とを識別判定することを特徴とする炎判定方法。
【請求項１５】
請求項１４記載の炎判定方法に於いて、
前記第１検知部は、
第１光学フィルタにより、有炎燃焼時に発生するＣＯ２共鳴により放射される、４．５μｍ付近を中心波長とする狭帯域波長の光を選択透過し、
第１受光素子により、前記第１光学フィルタを透過した透過した光を受光し電気信号に変換して出力し、
第１周波数抽出部により、前記第１受光素子の出力から所定の周波数の信号成分を選択抽出して第１受光信号を出力し、
前記第２検知部は、
第２光学フィルタにより、所定の波長帯域の近赤外線光を透過し、
第２受光素子により、前記第２光学フィルタを透過した光を受光し電気信号に変換して出力し、
第２周波数抽出部により、前記第２の受光素子の出力から所定の周波数の信号成分を選択抽出して第２受光信号を出力する、
ことを特徴とする炎判定方法。